(57)【要約】【課題】従来の電力線においては、抵抗値を低くするとともに、厚さを薄くすることができないという課題があった。【解決手段】扁平した断面形状を有し、当該断面の長手方向において互いに並列に配列された２本の導電線１０と、２本の導電線１０を直接被覆するよう、導電線１０に沿って設けられた第一絶縁体２０と、２本の導電線１０を被覆するよう設けられたシールド材３０と、シールド材３０を直接被覆するよう設けられた第二絶縁体４０とを備えた。【選択図】図１
2009176489.tif 000002
【特許請求の範囲】
【請求項１】
扁平した断面形状を有し、当該断面の長手方向において互いに並列に配列された２本の導電線と、
前記２本の導電線を被覆するよう設けられたシールド材とを備えた電力線。
【請求項２】
前記電力線は、電力線通信に用いられるものである請求項１記載の電力線。
【発明の詳細な説明】
【技術分野】
【０００１】
本発明は、シールドされた電力線に関するものである。
【背景技術】
【０００２】
従来、シールドされたフラット電線が知られていた（例えば、特許文献１参照）。
【０００３】
また、２つの線心を備えたフラット電線が知られていた（例えば、特許文献２参照）。
【特許文献１】特開２００３−４５２４０号公報（第１頁、第１図等）
【特許文献２】特開２０００−１０６０４０号公報（第１頁、第１図等）
【発明の開示】
【発明が解決しようとする課題】
【０００４】
上記のような従来のフラット電線においては、線心、すなわち導電線の断面形状が円形であるため、電線の厚さを薄くするためには、線心の断面の直径を小さくする必要があった。しかしながら、断面積を小さくすると、抵抗値が高くなってしまい、電力線としての所望の電気特性が得られなくなってしまうという課題があった。その一方で、十分な抵抗値を確保しようとした場合、電線の厚さが厚くなってしまい、電線を配設する際の邪魔になってしまうという課題があった。例えば、カーペット等の下にフラット電線を配設した場合、カーペットに大きな段差等が発生したり、ドアと床等の隙間に電線を配設できなくなってしまうため、フラット電線のメリットが得られなくなってしまう。このように、従来の、フラット電線においては、抵抗値を低くしたまま、厚さを薄くすることが困難であるという課題があった。
【課題を解決するための手段】
【０００５】
本発明の電力線は、扁平した断面形状を有し、当該断面の長手方向において互いに並列に配列された２本の導電線と、前記２本の導電線を被覆するよう設けられたシールド材とを備えた電力線である。
【０００６】
かかる構成により、断面の高さを保ったまま、幅を拡げることで、断面積を所望の広さに保つことができ、抵抗値を低くするとともに、厚さを薄くした電力線を提供することができる。
【０００７】
また、本発明の電力線は、前記電力線を電力線通信に用いられるものとしたものである。
【０００８】
かかる構成により、厚さを薄く保ったまま、電力供給に適した抵抗値とすることができるとともに、シールド材により、信号送信による電磁波の漏れを防ぐことができる。
【発明の効果】
【０００９】
本発明による電力線によれば、抵抗値を低くするとともに、厚さを薄くした電力線を提供することができる。
【発明を実施するための最良の形態】
【００１０】
以下、電力線等の実施形態について図面を参照して説明する。なお、実施の形態において同じ符号を付した構成要素は同様の動作を行うので、再度の説明を省略する場合がある。
【００１１】
（実施の形態）
図１は、本実施の形態における電力線の断面図である。電力線１は、２本の導電線１０と、第一絶縁体２０と、シールド材３０と、第二絶縁体４０とを備えている。ここでは、２本の導電線を第一導電線１０ａおよび第二導電線１０ｂとする。
【００１２】
第一導電線１０ａおよび第二導電線１０ｂは、扁平した断面形状を有し、当該断面の長手方向において互いに並列に配列されている。扁平した断面形状とは、具体的には、高さが幅よりも狭い断面形状のことであり、例えば、長方形や楕円形等の形状である。なお、導電線１０の断面形状は、長方形、あるいは角丸長方形等の、上面や下面に平坦な辺を有する形状であることが、後述するように、導電線同士を接続する上で好ましい。ここでの幅とは、導電線１０の断面の長手方向の長さ、すなわち第一導電線１０ａおよび第二導電線１０ｂの配列されている方向の長さを指すものとする。第一導電線１０ａおよび第二導電線１０ｂは、高さが十分に低い場合、リボン状の導電線と考えても良い。第一導電線１０ａおよび第二導電線１０ｂの材質は、通常の電線に利用可能な導電性を有する材質、例えば、銅等の金属等であれば、どのような材質であっても良い。なお、導電線１０の材質については、公知技術であるので説明は省略する。
【００１３】
第一絶縁体２０は、第一導電線１０ａおよび第二導電線１０ｂを直接被覆するよう、第一導電線１０ａおよび第二導電線１０ｂに沿って設けられている。第一導電線１０ａと第二導電線１０ｂとの間は、第一絶縁体２０によって絶縁されている。第一絶縁体２０の材質は、通常の電線に利用可能な絶縁性を有する材質であれば、どのような材質であっても良く、例えば、絶縁性を有する合成樹脂等が利用可能である。なお、第一絶縁体２０の材質については、公知技術であるので説明は省略する。
【００１４】
シールド材３０は、２本の導電線１０を被覆するよう設けられている。具体的には、シールド材３０は、第一絶縁体２０の表面を直接被覆するように設けられており、これにより、第一絶縁体２０を介して、第一導電線１０ａおよび第二導電線１０ｂを間接的に被覆している。シールド材３０の材質は、通常のシールド材として利用可能な材質であれば、どのような材質であっても良く、例えば、金属箔や金属テープ等が利用可能である。なお、シールド材３０の材質については、公知技術であるので説明は省略する。
【００１５】
第二絶縁体４０は、シールド材３０を直接被覆するよう設けられている。第二絶縁体４０の材質は、第一絶縁体２０の材質等と同様の材質が利用可能であるので、ここでは説明を省略する。ただし、第二絶縁体４０は、表面が外部に露出するため、電力線１の用途等に応じて耐食性の高い材質等を用いることが好ましい。
【００１６】
この電力線１は、電力を供給するために用いられる電線であり、第一導電線１０ａおよび第二導電線１０ｂが電源等と接続されることで、電力が供給される。電力線１に供給される電流は、直流であっても良いし、交流であっても良い。例えば、第一導電線１０ａに、第一の電位、また、第二導電線１０ｂに第二の電位を印加することで、電力線１に直流電流を流すことができる。また、この電力線１は、例えば、電力通信線（Ｐｏｗｅｒ  Ｌｉｎｅ  Ｃｏｍｍｕｎｉｃａｔｉｏｎｓ）として利用可能な電力線である。例えば、電力線通信により送信したい信号を電力に重畳して電力線１に送信することで、電力とともに、信号を送信することが可能である。
【００１７】
この電力線１においては、導電線１０が、扁平な断面形状を有している。このため、導電線１０の高さを一定に保つと共に、幅を拡げていくことで、導電線１０の断面積を広くできる。このため、厚さを変化させることなく、導電線１０断面積を自由に変更することが可能となる。この結果、抵抗値を低くするとともに、厚さを、カーペットの下や、ドアの隙間等に、邪魔になることなく配設可能となるよう薄くした電力線１を提供することができる。
【００１８】
また、通常の電力線、特に直流用の電力線は、シールドを有していないが、この電力線１は、特に、シールド材３０を備えている。このシールド材３０は、導電線１０に信号を流した場合に漏れる電磁波等をシールドする役割を果たす。すなわち、電力線１を上述したような電力線通信用の電力線、すなわち電力通信線として利用した場合において、電力に信号を重畳して送信する際に発生する電磁波の漏れを防ぐことができる。なお、この電力線１を用いて信号を送信する際には、差動伝送を行うようにすることが好ましい。差動伝送とは、対となる導電線にそれぞれ逆位相の信号を伝送するデータの伝送方式である。差動伝送を行うことで、シングル伝送に比べて、信号振幅を小さくできる分、信号の第一の電位から、第二の電位への遷移に必要な電位差を小さくして、信号の第一の電位から、第二の電位への切り替えに要する時間を短くでき、データ伝送速度を高速にすることができる。また、差動伝送は、第一導電線１０ａおよび第二導電線１０ｂに逆位相の信号を用いるため、コモンモード雑音が発生しても、受信側で信号間の差分をことにより、雑音の影響を相殺でき、ノイズを削減することが可能となり、受信側の機器において誤動作を防ぐことが可能となる。
【００１９】
図２は、２つの電力線１同士を接続した状態を示す上面図である。ここでは、第一の電力線１ａの一部の、第一絶縁体２０と、シールド材３０と、第二絶縁体４０との被覆を剥がして表面に露出された第一導電線１０ａおよび第二導電線１０ｂに、第一絶縁体２０と、シールド材３０と、第二絶縁体４０との被覆を剥がして表面に露出された第一導電線１０ａおよび第二導電線１０ｂを、それぞれ接続した状態を示す図である。ここでは、第一の電力線１ａの第一導電線１０ａと第二の電力線１ｂの第一導電線１０ａが半田により接続されており、第一の電力線１ａの第二導電線１０ｂと第二の電力線１ｂの第二導電線１０ｂが半田６０により接続されている。なお、図２においては、第二の電力線１ｂの第一導電線１０ａと、第一の電力線１ａの第二導電線１０ｂとが重なる部分には、第一絶縁体２０等と同様の絶縁体２１が挟み込まれているものとする。
【００２０】
また、図３は、図２に示した第一の電力線１ａの第一導電線１０ａと第二の電力線１ｂの第一導電線１０ａとが半田６０により接続されている部分の側面図である。
【００２１】
図２および図３に示すように、第一導電線１０ａと第二導電線１０ｂとのいずれも断面形状が扁平であるため、導電線同士を半田や導電性の接着剤等で接続する際に、導電線間の隙間が少なく、従来の断面が円形の導電線同士を半田等で接続する場合に比べて接続強度が強くなる。また、接続される部分の面積も広くとれるため、接続部における抵抗の増加等も少なくすることができる。また、導電線同士の厚さが薄いため、接続部分における厚さの増加も抑えることができる。なお、導電線１０同士をより強固に、また、より接合される面積が広くなるよう接続できるようにするためには、導電線１０の断面形状を、上面や下面に平坦な辺を有する形状とすることが好ましい。
【００２２】
以上、本実施の形態においては、扁平した断面形状を有し、当該断面の長手方向において互いに並列に配列された２本の導電線１０と、２本の導電線１０を被覆するよう設けられたシールド材３０とを備えるようにしたことにより、抵抗値を低くするとともに、厚さを薄くした電力線を提供することができる。
【００２３】
なお、本発明は、以上の実施の形態に限定されることなく、種々の変更が可能であり、それらも本発明の範囲内に包含されるものであることは言うまでもない。
【産業上の利用可能性】
【００２４】
以上のように、本発明にかかる電力線は、電力線として適しており、特に、電力線通信に利用可能なフラットな電力線等として有用である。
【図面の簡単な説明】
【００２５】
【図１】本発明の実施の形態における電力線の断面図
【図２】同電力線同士を接続した状態を示す上面図
【図３】同電力線の接続部分の側面図
【符号の説明】
【００２６】
１  電力線
１ａ  第一の電力線
１ｂ  第二の電力線
１０  導電線
１０ａ  第一導電線
１０ｂ  第二導電線
２０  第一絶縁体
２１  絶縁体
３０  シールド材
４０  第二絶縁体
６０  半田
【図１】
2009176489.tif 000003
【図２】
2009176489.tif 000004
【図３】
2009176489.tif 000005